(57)【要約】      （修正有）【課題】ＩＣチップを商品陳列用フックに取付けることで、陳列した商品群の各広告情報を安価に提供でき、購買者の購買意欲を刺激するようにしたＩＣチップ付きプロモーションフックの提供。【解決手段】プロモーションフックは、所望形状の商品陳列台１の所定部に装着する取付部３と、取付部３に縦軸回動自在に取付けたフック部４とを有する。該フック部４には商品Ｓを取付けるフック体２５を設けて商品陳列用フック２を構成し、該商品陳列用フック２の所望位置には情報端末器４９からのアクセスにより「広告情報」を送信するＩＣチップ４８を設ける。前記情報端末器４９とＩＣチップ４８とは、情報端末器４９がＩＣチップ４８からの情報を受け取る一方向通信に構成する。前記フック部４の先端には縦軸回動自在にプライスカード装着部３５を取付ける。【選択図】図２
0003123401.tif 000002
【実用新案登録請求の範囲】
【請求項１】
所望形状の商品陳列台１の所定部に装着する取付部３に縦軸回動自在にフック部４の基部を取付け、該フック部４には商品Ｓを取付けるフック体２５を設けて商品陳列用フック２を構成し、該商品陳列用フック２の所望位置には情報端末器４９からのアクセスにより「広告情報」を送信するＩＣチップ４８を設けたＩＣチップ付きプロモーションフック。
【請求項２】
請求項１において、前記情報端末器４９とＩＣチップ４８とは、情報端末器４９がＩＣチップ４８からの情報を受け取る一方向通信に構成したＩＣチップ付きプロモーションフック。
【請求項３】
請求項１または請求項２において、前記フック部４の先端には縦軸回動自在にプライスカード装着部３５を取付け、プライスカード装着部３５には情報端末器４９からのアクセスにより「広告情報」を送信するＩＣチップ４８を有するプライスカード４６を着脱自在に装着するようにしたＩＣチップ付きプロモーションフック。
【請求項４】
請求項１または請求項２または請求項３において、前記ＩＣチップ４８は、複数の情報端末器４９から同時にアクセスできるように構成したＩＣチップ付きプロモーションフック。
【請求項５】
請求項１または請求項２または請求項３または請求項４において、前記フック部４は、略垂直位置と傾斜位置とに変位する基部側軸５により縦軸回動自在に取付部３に取付け、該取付部３またはフック部４の何れか一方に、係合凹部１６を、何れか他方に係合凸部１７を設けて、取付部３とフック部４との間に基部側ロック機構１８を形成したＩＣチップ付きプロモーションフック。
【請求項６】
請求項１または請求項２または請求項３または請求項４または請求項５において、前記プライスカード装着部３５は、略垂直位置と傾斜位置とに変位する軸３９により縦軸回動自在にフック部４に取付け、前記プライスカード装着部３５またはフック部４の何れか一方に係合凹部４１を、何れか他方に係合凸部４２を設けて、プライスカード装着部３５とフック部４との間に先端側ロック機構３６を形成したＩＣチップ付きプロモーションフック。
【請求項７】
請求項５または請求項６において、前記基部側ロック機構１８は、取付部３またはフック部４の何れか一方に円柱形状の膨出部１０を、何れか他方に前記膨出部１０の上下面を挟むように基部突出部１２を夫々設け、前記膨出部１０または基部突出部１２の何れか一方に係合凹部１６を、何れか他方に係合凸部１７を設けて構成したＩＣチップ付きプロモーションフック。
【請求項８】
請求項６または請求項７において、前記先端側ロック機構３６は、フック部４またはプライスカード装着部３５の何れか一方に円柱形状の膨出部３８を、何れか他方に前記膨出部３８の上下面を挟むように突出部３７を夫々設け、前記膨出部３８または突出部３７の何れか一方に係合凹部４１を、何れか他方に係合凸部４２を設けて構成したＩＣチップ付きプロモーションフック。
【請求項９】
請求項１または請求項２または請求項３または請求項４または請求項５または請求項６または請求項７または請求項８において、前記フック部４は、前記フック体２５の所定間隔をおいた上方に前方に突き出る上側表示部２６を設け、上側表示部２６には左右両側より左右に貫通する窓状開口部２７を設け、上側表示部２６の上面には前記窓状開口部２７に表示体２８を挿入する挿入溝２９を形成したＩＣチップ付きプロモーションフック。
【考案の詳細な説明】
【技術分野】
【０００１】
本考案は、商品を吊設して陳列するＩＣチップ付きプロモーションフックに関するものである。
【背景技術】
【０００２】
従来、商品陳列台に陳列する全商品にＩＣチップを取付け、該ＩＣチップのメモリに産地等の商品情報を記憶させ、この商品情報を情報端末器の表示部に表示させる構成は、公知である（特許文献１参照）。
【特許文献１】特開２００５−２６７１８０号公報
【考案の開示】
【考案が解決しようとする課題】
【０００３】
前記公知例のものは、単に、商品情報をＩＣチップから受信するだけであるから、顧客の購買意欲を刺激するための情報としては不十分であるという課題がある。
また、各商品全てにＩＣチップを取付けているから、コストが非常に高くなる。
本願は、ＩＣチップを商品陳列用フックに取付けることで、陳列した商品群の各広告情報を安価に提供できるようにして、購買者の購買意欲を刺激するようにしたものである。
【課題を解決するための手段】
【０００４】
本考案は、所望形状の商品陳列台１の所定部に装着する取付部３に縦軸回動自在にフック部４の基部を取付け、該フック部４には商品Ｓを取付けるフック体２５を設けて商品陳列用フック２を構成し、該商品陳列用フック２の所望位置には情報端末器４９からのアクセスにより「広告情報」を送信するＩＣチップ４８を設けたＩＣチップ付きプロモーションフックとしたものである。
本考案は、前記情報端末器４９とＩＣチップ４８とは、情報端末器４９がＩＣチップ４８からの情報を受け取る一方向通信に構成したＩＣチップ付きプロモーションフックとしたものである。
本考案は、前記フック部４の先端には縦軸回動自在にプライスカード装着部３５を取付け、プライスカード装着部３５には情報端末器４９からのアクセスにより「広告情報」を送信するＩＣチップ４８を有するプライスカード４６を着脱自在に装着するようにしたＩＣチップ付きプロモーションフックとしたものである。
本考案は、前記ＩＣチップ４８は、複数の情報端末器４９から同時にアクセスできるように構成したＩＣチップ付きプロモーションフックとしたものである。
本考案は、前記フック部４は、略垂直位置と傾斜位置とに変位する基部側軸５により縦軸回動自在に取付部３に取付け、該取付部３またはフック部４の何れか一方に、係合凹部１６を、何れか他方に係合凸部１７を設けて、取付部３とフック部４との間に基部側ロック機構１８を形成したＩＣチップ付きプロモーションフックとしたものである。
本考案は、前記プライスカード装着部３５は、略垂直位置と傾斜位置とに変位する軸３９により縦軸回動自在にフック部４に取付け、前記プライスカード装着部３５またはフック部４の何れか一方に係合凹部４１を、何れか他方に係合凸部４２を設けて、プライスカード装着部３５とフック部４との間に先端側ロック機構３６を形成したＩＣチップ付きプロモーションフックとしたものである。
本考案は、前記基部側ロック機構１８は、取付部３またはフック部４の何れか一方に円柱形状の膨出部１０を、何れか他方に前記膨出部１０の上下面を挟むように基部突出部１２を夫々設け、前記膨出部１０または基部突出部１２の何れか一方に係合凹部１６を、何れか他方に係合凸部１７を設けて構成したＩＣチップ付きプロモーションフックとしたものである。
本考案は、前記先端側ロック機構３６は、フック部４またはプライスカード装着部３５の何れか一方に円柱形状の膨出部３８を、何れか他方に前記膨出部３８の上下面を挟むように突出部３７を夫々設け、前記膨出部３８または突出部３７の何れか一方に係合凹部４１を、何れか他方に係合凸部４２を設けて構成したＩＣチップ付きプロモーションフックとしたものである。
本考案は、前記フック部４は、前記フック体２５の所定間隔をおいた上方に前方に突き出る上側表示部２６を設け、上側表示部２６には左右両側より左右に貫通する窓状開口部２７を設け、上側表示部２６の上面には前記窓状開口部２７に表示体２８を挿入する挿入溝２９を形成したＩＣチップ付きプロモーションフックとしたものである。
【考案の効果】
【０００５】
請求項１の考案では、商品陳列用フック２の所望位置にＩＣチップ４８を設けているので、購買者は商品Ｓの広告情報を各ＩＣチップ４８から瞬時に入手でき、購買者の購買意欲を頗る刺激することができるばかりでなく、一群の商品Ｓの広告情報を安価に提供できる。
請求項２の考案では、故意のＩＣチップ４８の情報の書き換えを防止できる。
請求項３の考案では、ＩＣチップ４８をプライスカード４６に設けているので、購買者の注意喚起力を増加させ、しかも、ＩＣチップ４８の「広告情報」の交換・更新を容易に行うことができる。
請求項４の考案では、購買者の「広告情報」の入手を容易にでき、一層、購買意欲を頗る刺激することができる。
請求項５の考案では、商品陳列用フック２を折り畳むことができる。
請求項６の考案では、プライスカード装着部３５を常時正面に向くように固定でき、情報端末器４９からのアクセスを容易にすることができる。
請求項７の考案では、フック部４を固定する基部側ロック機構１８を簡素に構成できる。
請求項８の考案では、プライスカード装着部３５を固定する先端側ロック機構３６を簡素に構成できる。
請求項９の考案では、フック部４に「広告情報」を記載した表示体２８を装着できるので、購買者の注意を惹起し、情報端末器４９によるアクセス頻度を増加させることができる。
【考案を実施するための最良の形態】
【０００６】
本考案の実施例を図面により説明すると、１は商品陳列台であり（図１）、商品陳列用フック２を装着し、該商品陳列用フック２に商品Ｓを吊設して陳列する。
商品陳列用フック２は、前記商品陳列台１に取付ける取付部３に、商品Ｓを吊設するフック部４を回動自在に基部側軸５により取付けて構成する。
【０００７】
取付部３の構成は任意であるが、一例を示すと、平板状の当接板部６の上部に商品陳列台１の台側係合部７に係合するフック側係合部８を形成する（図２）。フック側係合部８の一例を示すと、当接板部６の上部に横軸９を設けて構成し、前記台側係合部７をＵ型状に形成して、横軸９を台側係合部７に係合させ、当接板部６を商品陳列台１に当接させて、商品陳列用フック２を商品陳列台１に装着する。
【０００８】
取付部３の当接板部６には正面側に突き出る円柱形状の膨出部１０を設ける。膨出部１０にはフック部４のベース部１１に設けた上下一対の基部突出部１２を臨ませ、基部突出部１２に形成した挿通孔１３と膨出部１０に形成した挿通孔１４とを重ねた状態で前記基部側軸５を挿通して取付部３に、商品Ｓを吊設するフック部４を回動自在に取付る。
【０００９】
膨出部１０の下部とフック部４のベース部１１との何れか一方には係合凹部１６を、何れか他方には係合凸部１７を形成し、係合凹部１６と係合凸部１７とにより基部側ロック機構１８を形成する。実施例では、膨出部１０の下部に係合凹部１６を形成し、フック部４のベース部１１に係合凸部１７を形成している。
【００１０】
この場合、フック部４の基部突出部１２の挿通孔１３および膨出部１０に形成した挿通孔１４の夫々を基部側軸５の直径より大径に形成し、フック部４のベース部１１が基部側軸５の軸心に対して傾斜するように形成し（図８）、ベース部１１を傾斜させることにより係合凸部１７が係合凹部１６から継脱するように構成している。
１９は取付部３の当接板部６に設けた係合凹部、２０は基部突出部１２に形成した係合凸部である。
【００１１】
しかして、フック部４のベース部１１には、棒状形状のフック体２５を設け、フック体２５の所定間隔をおいた上方には上側表示部２６を設ける。上側表示部２６はベース部１１より前方に突き出し、上側表示部２６の左右側面は左右に貫通する窓状開口部２７を設け、上側表示部２６の上面には窓状開口部２７に表示体２８を挿入する挿入溝２９を形成する。表示体２８には、商品名の他プロモーション（広告）情報を表示すると、好適である。
【００１２】
上側表示部２６の先端には、プライスカード装着部３５を設ける。プライスカード装着部３５は前記基部側ロック機構１８と同様な先端側ロック機構３６を介して上側表示部２６の先端に取付け、プライスカード装着部３５が上側表示部２６に対して略直角となる使用状態と上側表示部２６と並行となる格納状態とに変位するように構成する。３７は突出部、３８は膨出部、３９は軸、４０は挿通孔、４１は係合凹部、４２は係合凸部である。
【００１３】
プライスカード装着部３５の前面にはカード装着溝４５を形成し、カード装着溝４５にはプライスカード４６を装着する。プライスカード４６には、商品面・商品番号・価格等を記載する。
【００１４】
しかして、プライスカード４６にはＩＣチップ４８を取付ける。ＩＣチップ４８は所定の情報端末器４９との間で無線信号により通信を行ない、ＩＣチップ４８のメモリ５０に記憶させた広告情報が情報端末器４９に送信され、画像や音声により情報端末器４９から広告情報を受け取れ、商品購入意欲を刺激する。
【００１５】
即ち、顧客が情報端末器４９によりＩＣチップ４８にアクセスすると、テレビやラジオで行われている所謂「テレホンショッピング」と称されるような「広告情報」をＩＣチップ４８から発信し、この「広告情報」により顧客は商品を選択購入する。
【００１６】
この場合、前記ＩＣチップ４８の構成は任意であるが、一例を示すと、メモリ５０のデータを送信するループアンテナ等のアンテナ５１や、ＣＰＵ５２等を有して構成されていれば良い。また、情報端末器４９は、例えば、携帯電話機として使用されているような、液晶表示装置５５と、ＩＣチップ４８と無線通信を行うリーダライター５６と、音声出力装置５７を等を有して構成されていればよく、詳細は省略する。
【００１７】
また、情報端末器４９はＩＣチップ４８からの情報を受け取る一方向通信とすると、故意にＩＣチップ４８の情報の書き換えを防止でき、好適である。
【００１８】
しかして、図１４〜図１７は、取付部３の他の実施例であり、商品陳列台１のワイヤー６０に係合するワイヤー係合部６１を形成したものである。
【００１９】
（実施例の作用）
取付部３の膨出部１０を、フック部４のベース部１１の上下の基部突出部１２間に差し込み、膨出部１０の挿通孔１３をベース部１１の挿通孔１４に合わせて基部側軸５を挿通して、取付部３にフック部４を縦軸回動自在に取付け、フック部４の先端の膨出部３８にプライスカード装着部３５の上下の取付部３７を差し込み、プライスカード装着部３５の挿通孔４０をフック部４の挿通孔に合わせて軸３９を挿通して、フック部４にプライスカード装着部３５を縦軸回動自在に取付け、商品陳列用フック２の組立てが完了する。
【００２０】
組立てた商品陳列用フック２は、取付部３のフック側係合部８を商品陳列台１に装着する。
商品陳列用フック２は所定数所定間隔をおいて商品陳列台１に装着し、商品陳列台１に装着した商品陳列用フック２のフック体２５に商品Ｓを吊設して商品Ｓを陳列する。
【００２１】
商品陳列用フック２の取付部３およびフック部４並びにプライスカード装着部３５は、夫々基部側軸５および軸３９により互いに回動自在に取付けているから、取付部３に対してフック部４を、フック部４に対してプライスカード装着部３５を夫々縦軸回動させると、商品陳列用フック２は折畳まれる。
【００２２】
したがって、商品陳列台１に装着状態で商品陳列用フック２を折畳むと、商品陳列台１から外すことなく、商品陳列空間を拡大でき、このとき、商品陳列台１から商品陳列用フック２を外さないですむので、商品陳列用フック２の紛失も防止できる。
【００２３】
また、商品陳列台１から外した状態で商品陳列用フック２を折畳むと、運搬・格納・保管等が容易になる。
しかして、取付部３およびフック部４の基部側軸５の部分には、基部側ロック機構１８を設けているから、使用状態あるいは格納状態の商品陳列用フック２のフック部４を固定する。
【００２４】
基部側ロック機構１８は、基部側軸５を挿通孔１３に対して相対的に小径に形成し、取付部３およびフック部４の何れか一方に係合凹部１６を、何れか他方に係合凸部１７を設けて構成しているから、フック部４の先端を取付部３に対して上動させると、基部側軸５が傾斜し、フック部４のベース部１１と取付部３の膨出部１０との間に隙間が発生し、係合凸部１７は係合凹部１６から離脱して、アンロック状態になり、フック部４は回動する。
【００２５】
反対に、フック部４の先端から手を離すと、基部側軸５は略垂直状態になり、係合凸部１７が係合凹部１６に係合して、ロック状態になり、フック部４は固定される。
したがって、基部側軸５と挿通孔１３とを相対的に緩くして基部側軸５を傾斜するように構成し、この傾斜状態と垂直状態との間隔により係合凸部１７が係合凹部１６に継脱するように構成しているから、形成が簡素で、安価に製造できる。特に、商品陳列用フック２を合成樹脂で製造すると、安価に製造できる。
【００２６】
この場合、実施例では、基部側軸５を取付部３の膨出部１０に固定状態に取付け、フック部４の挿通孔１３を大径に形成しているが、反対に、基部側軸５をフック部４に固定状態に取付け、取付部３の膨出部１０の挿通孔１４を大径に形成してもよい。
【００２７】
同様に、フック部４に対してプライスカード装着部３５を傾斜させると（図９）、フック部４の係合凹部４１とプライスカード装着部３５の係合凸部４２との間に隙間が発生し、係合凸部４２は係合凹部４１から離脱して、アンロック状態になり、プライスカード装着部３５は回動する。
【００２８】
反対に、プライスカード装着部３５を垂直状態にすると（図８）、係合凸部４２が係合凹部４１に係合して、ロック状態になり、プライスカード装着部３５は固定される。
【００２９】
フック部４は、フック体２５の所定間隔をおいた上方に上側表示部２６を設けて構成し、上側表示部２６はベース部１１より前方に突き出し、上側表示部２６の左右側面は左右に貫通する窓状開口部２７を設け、上側表示部２６の上面には窓状開口部２７に表示体２８を挿入する挿入溝２９を形成しているから、商品名の他プロモーション情報を表示体２８に表示することにより、顧客の商品Ｓに対する注目度を向上させ、購買意欲を刺激する。
【００３０】
しかして、プライスカード装着部３５の前面にはカード装着溝４５を形成し、カード装着溝４５にはカードプライスカード４６を着脱自在に装着し、プライスカード４６には、商品面・商品番号・価格等の記載の他に、ＩＣチップ４８を取付けているから、ＩＣチップ４８は所定の情報端末器４９との間で無線信号により通信を行ない、ＩＣチップ４８のメモリ５０の広告情報が情報端末器４９に送信され、画像や音声により情報端末器４９から広告情報を受け取れ、商品購入意欲を刺激する。
【００３１】
即ち、顧客が情報端末器４９によりＩＣチップ４８にアクセスすると、テレビやラジオで行われている所謂「テレホンショッピング」と称されるような「広告情報」と同様な「広告情報」を、ＩＣチップ４８から発信し、この「広告情報」により顧客は商品の購入の意思決定を行う。
【００３２】
換言すると、顧客は、通常、商品陳列用フック２に吊設した商品Ｓ群を見ると、商品購入を思い立ち、同時に、消費者心理として商品陳列用フック２のプライスカード装着部３５のプライスカード４６に注目するから、このプライスカード４６のＩＣチップ４８に情報端末器４９によりアクセスすると、実際の商品Ｓのみならず、ＩＣチップ４８からの「広告情報」を入手して商品購入することができるので、広告効果は飛躍的に向上する。
【００３３】
この場合、商品陳列用フック２に吊設する商品Ｓ群の「広告情報」をＩＣチップ４８は発信するので、商品陳列用フック２を吊設しうる空間に対して、大量の「広告情報」を顧客に提供可能となり、この点でも、広告効果は向上する。
【００３４】
また、化粧品や日用品といった商品では、多数の販売会社が参入しているので、各社の商品Ｓを一つの商品陳列台１に陳列販売していることが多く、こういった現状では、一層、各商品Ｓの差別化のために、「広告情報」は有効であり、商品陳列用フック２のＩＣチップ４８にアクセスして「広告情報」を入手する要求も高く、購買意欲を強く刺激する。
【００３５】
しかして、ＩＣチップ４８はプライスカード４６に設けているので、商品陳列用フック２の商品Ｓの入れ替えに合わせて、プライスカード４６を交換することで、簡単にＩＣチップ４８の「広告情報」の交換あるいは更新ができる。
【００３６】
この場合、ＩＣチップ４８は、複数の情報端末器４９から同時にアクセスできるように構成すると、顧客は希望するときに瞬時に希望情報を入手することができ、情報入手に係る待機時間による顧客のストレスを無くし、購買意欲を刺激する。
【００３７】
即ち、テレビモニターにビデオに収録した広告情報を表示する告知方法では、希望する情報が流れていないと、顧客はすぐに商品Ｓの前から立ち去ってしまうが、ＩＣチップ４８と情報端末器４９の通信により広告情報を提供するので、顧客は希望するときに広告情報をすぐに入手でき、商品Ｓ群の前に足止めさせることができる。
【図面の簡単な説明】
【００３８】
【図１】商品陳列置台の外観図。
【図２】ＩＣチップ付きプロモーションフックの概略分解図。
【図３】フック部の基部の斜視図。
【図４】プライスカード装着部と情報端末器の斜視図。
【図５】ＩＣチップ付きプロモーションフックの側面図。
【図６】同平面図。
【図７】同低面図。
【図８】フック部を持ち上げてアンロックにした状態の側面図。
【図９】フック部を降ろしてロックにした状態の側面図（先端側ロック機構はアンロック状態）。
【図１０】プライスカード装着部の正面図。
【図１１】同側面図。
【図１２】ＩＣチップの一例を示すブロック図。
【図１３】情報端末器の一例を示すブロック図。
【図１４】ＩＣチップ付きプロモーションフックの他の実施例の側面図。
【図１５】同取付部の側面図。
【図１６】同取付部の背面図。
【図１７】同取付部の底面図。
【符号の説明】
【００３９】
１…商品陳列台、２…商品陳列用フック、３…取付部、４…フック部、５…基部側軸、６…当接板部、７…台側係合部、８…フック側係合部、９…横軸、１０…膨出部、１１…ベース部、１２…基部突出部、１３…挿通孔、１４…挿通孔、１６…係合凹部、１７…係合凸部、１８…基部側ロック機構、１９…係合凹部、２０…係合凸部、２５…フック体、２６…上側表示部、２７…窓状開口部、２８…表示体、２９…挿入溝、３５…プライスカード装着部、３６…先端側ロック機構、３７…突出部、３８…膨出部、３９…軸、４０…挿通孔、４１…係合凹部、４２…係合凸部、４５…カード装着溝、４６…プライスカード、４８…ＩＣチップ、４９…携帯情報端末器、５０…メモリ、５１…アンテナ、５５…液晶表示装置、５６…リーダライター、５７…音声出力装置、６０…ワイヤー、６１…ワイヤー係合部。
【図１】
0003123401.tif 000003
【図２】
0003123401.tif 000004
【図３】
0003123401.tif 000005
【図４】
0003123401.tif 000006
【図５】
0003123401.tif 000007
【図６】
0003123401.tif 000008
【図７】
0003123401.tif 000009
【図８】
0003123401.tif 000010
【図９】
0003123401.tif 000011
【図１０】
0003123401.tif 000012
【図１１】
0003123401.tif 000013
【図１２】
0003123401.tif 000014
【図１３】
0003123401.tif 000015
【図１４】
0003123401.tif 000016
【図１５】
0003123401.tif 000017
【図１６】
0003123401.tif 000018
【図１７】
0003123401.tif 000019